(57)【要約】【課題】蓋体上面の開口部に備えた可動式の操作部材と、蓋体との間隙から水が蓋体内に入っても、蓋体内の電装部品に水がかかったり、蓋体内に水が溜まったりすることのない蓋付き容器を提供する。【解決手段】蓋体６上面の開口部１７内で動かす操作部材２１を備えた蓋付き容器において、前記操作部材２１と前記蓋体６との間隙から前記蓋体６内に入った水を導く樋部２８を前記操作部材２１に設け、この樋部２８を介して前記水を前記蓋体６外へ排する構成とした。【選択図】図３
2006020850.tif 000002
【特許請求の範囲】
【請求項１】
蓋体上面の開口部内で動かす操作部材を備えた蓋付き容器において、前記操作部材と前記蓋体との間隙から前記蓋体内に入った水を導く樋部を前記操作部材に設け、この樋部を介して前記水を前記蓋体外へ排することを特徴とする蓋付き容器。
【請求項２】
前記樋部の開放端を前記操作部材の一端側に配し、前記操作部材を、その一端側に傾くように上下動させて操作することを特徴とする請求項１に記載の蓋付き容器。
【請求項３】
前記操作部材の前記開放端と反対側に、前記操作部材を上下に揺動自在とするヒンジ部を設け、前記開放端を、前記操作部材の一端側の端縁に向けて設けたことを特徴とする請求項２に記載の蓋付き容器。
【請求項４】
前記操作部材が、その上昇時に前記操作部材と前記蓋体との間隙を閉塞するパッキンを備えたことを特徴とする請求項２または３に記載の蓋付き容器。
【発明の詳細な説明】
【技術分野】
【０００１】
この発明は、炊飯器やポットなど、蓋体の上面に操作部材を備えた蓋付き容器に関する。
【背景技術】
【０００２】
この種の蓋付き容器としては、蓋体と炊飯器本体とを係合するフックと、このフックの係合を解除するための操作部材とを前記蓋体に備えた蓋付き容器がある。
【０００３】
例えば、蓋体上面の開口部内で上下動させる操作ボタンからなる操作部材を備えた炊飯器がある（特許文献１）。前記操作部材は、ばね等で前記開口部を塞ぐ方向に付勢されており、蓋体が閉じた状態おいて前記開口部を塞ぐように設置されており（初期状態）、初期状態から前記蓋体内に押入されると、フックを係合解除位置に移動させる。
【０００４】
【特許文献１】特開２０００−１４５３８号公報（図３、図５、図６、段落番号[００１６]〜[００２０]参照）
【発明の開示】
【発明が解決しようとする課題】
【０００５】
しかしながら、特許文献１に記載されたような蓋付き容器では、前記操作部材と前記蓋体との間に間隙を設け、前記操作部材と前記蓋体が干渉しないようにする必要があるので、蓋体上面に水を被ると、前記操作部材が初期状態にあっても水が前記間隙から蓋体内に入ってしまう。このため、従来の蓋付き容器には、前記蓋体の内部に水が溜まったり、蓋体内に電装部品を配置した場合、水が電装部品にかかったりするという問題があった。
【０００６】
そこで、この発明の課題は、蓋体上面の開口部に備えた可動式の操作部材と、蓋体との間隙から水が蓋体内に入っても、蓋体内の電装部品に水がかかったり、蓋体内に水が溜まったりすることのない蓋付き容器を提供することにある。
【課題を解決するための手段】
【０００７】
上記の課題を解決するため、この発明は、蓋体上面の開口部内で動かす操作部材を備えた蓋付き容器において、前記操作部材と前記蓋体との間隙から前記蓋体内に入る水を導く樋部を前記操作部材に設け、この樋部を介して前記水を前記蓋体外へ排する構成とした。
【０００８】
上記構成によれば、前記操作部材と前記蓋体との間隙から前記蓋体内に入る水を導く樋部を前記操作部材に設け、この樋部を介して前記水を前記蓋体外へ排するように構成したので、蓋体内に水が溜まることがなく、蓋体内の電装部品に水がかかることもない。
【０００９】
なお、上記構成においては、前記樋部の開放端を前記操作部材の一端側に配し、前記操作部材を、操作時にその一端側に傾くように上下動させることもできる。この構成よれば、前記樋部に水が溜まっている状態で前記操作部材が押入されても、その水は前記樋部からこぼれることなく開放端に導かれる。これにより、蓋付き容器は、前記蓋体内に入った水がより確実に蓋体外へ排されるものとなる。
【００１０】
より好ましくは、前記操作部材の前記開放端と反対側に、前記操作部材を上下に揺動自在とするヒンジ部を設け、前記開放端を、前記操作部材の一端側の端縁に向けて設けた構成を採用するとよい。この構成によれば、蓋付き容器は、前記操作部材の揺動時に前記開放端から排された水が、あらぬ方向に流れることなく前記操作部材から流下するようになり、より確実に前記蓋体外へと導かれるものとなる。
【００１１】
上記のように前記操作部材を上下動させる場合、前記操作部材が、その上昇時に前記操作部材と前記蓋体との間隙を閉塞するパッキンを備えた構成を採用することも好ましい。この構成によれば、前記操作部材が上昇している時に前記蓋体内に水が浸水することがない。これにより、前記蓋体内への浸水は、上下動時に蓋体外面に付着していた水滴が流入する程度に押えられる。このため、前記樋部を小型化することが可能になる。
【発明の効果】
【００１２】
上述のように、この発明によれば、蓋体上面の開口部に備えた可動式の操作部材と、蓋体との間隙から水が蓋体内に入っても、蓋体内の電装部品に水がかかったり、蓋体内に水が溜まったりすることのない蓋付き容器を提供することができる。
【発明を実施するための最良の形態】
【００１３】
以下、この発明の最良の実施形態に係る蓋付き容器の一例を、図１〜図７に基づいて説明する。図１に縦断側面、図２に全体斜視を示した蓋付き容器は、電気炊飯器として構成されている。炊飯器本体１は、加熱調理部を内蔵する胴部２と、この胴部２に上方から嵌合された肩部３とを備え、炊飯釜４を内蔵した容器体である。肩部３の上端面前方には、炊飯器の操作パネル部５が設置され、肩部３の後端には、蓋体６がヒンジ７により開閉自在に取付けられている。蓋体６は、肩部３の上端開放口を閉塞するように設けれ、ヒンジばね（図示省略）により開方向へ付勢されている。
【００１４】
蓋体６は、上蓋部材８と下蓋部材９とを上下に嵌合した構造を有し、下蓋部材９の下面に放熱板セット１０を取付けたものである。放熱板セット１０の外周面には、蓋パッキン１１が装着されている。蓋パッキン１１は、蓋体６が閉じた状態において炊飯釜４の上端縁１２に密着する。炊飯器本体１と蓋体６は、蓋体６に設置されたフック１３により係止される。
【００１５】
フック１３は、蓋体６の内部に設置された支軸１４で揺動自在に支持されており、蓋体６の前面に開口されたフック孔１５から突き出るフック部１６と、蓋体６の上面に設けられた開口部１７の下方に配される受動部１８とを有する。フック部１６は、蓋体６が閉じた状態において、肩部３の顎部１９に掛かる。支軸１４には、フック部１６を顎部１９側に付勢するトーションばね２０が装着されている。これにより、フック１３は、蓋体６が閉じた状態において肩部３との係合状態を保つようになっている。フック１３の係合解除は、開口部１７内に設置された操作部材２１により行われる。
【００１６】
図３〜図６に示すように、操作部材２１は、開口部１７を塞ぐように設けられたボタン部２２と、このボタン部２２より後方に延設された２つのヒンジ部２３、２３と、両ヒンジ部間においてボタン部２２より後方に延設されたばね部２４と、ボタン部２２の下面に形成された突起部２５とを備え、開口部１７内で上下動させることにより操作されるものである。
【００１７】
ボタン部２２は、操作時に開口部１７の内周面と接触しないようにその内周面と間隙Ｓをもって対面する周壁部２６と、周壁部２６の上端に連設された押し面２７と、周壁部２６に連設された樋部２８とからなる。
【００１８】
ヒンジ部２３は、後端部に形成された軸部２９の手前から前下がりの傾斜をもつ。軸部２９は、上蓋部材８の下面に形成された軸受け部３０に嵌められる。
【００１９】
ばね部２４は、ヒンジ部２３と同様の傾斜をもち、上蓋部材８の下面に形成された支持座部３１により蓋体６に対して支持されている。支持座部３１は、ばね部２４の下方向動および後方向動を規制する座部３２と、ばね部２４の挿通孔３３が通された状態でばね部２４の前方向動を規制する脱落防止部３４と、ばね部２４の後端両側に形成された突部３５の端面と当接し、ばね部２４の両側方向動を規制する対向突壁部３６とからなる。
【００２０】
ばね部２４の突部３５は、軸部２９と同軸に形成されると共に、トーションばね３７が装着されている。トーションばね３７の一端側はボタン部２２の下面に当接し、他端側は上蓋部材８の下面に当接する。操作部材２１は、トーションばね３７により支持されると共に、上方に付勢されている。
【００２１】
上記の構成では、操作部材２１は、ヒンジ部２３の軸部２９の軸線上を揺動中心にもつため、前端側に傾くように上下動される。すなわち、押し面２７が指で押されると、トーションばね３７が撓み、ボタン部２２が前方へ少し傾きながら蓋体６内へ入り、突起部２５がフック１３の受動部１８を押し下げる。これに連動してフック部１６が支軸１４回りに前方へ動き、フック１３と肩部３との係合が解除される。押し面２７から指が離されると、トーションばね３７の弾性回復力により、ボタン部２２が上方へ復帰され、開口部１７が塞がれる。
【００２２】
上述のように、操作部材２１と蓋体６との間には、ボタン部２２を上下動させるため、間隙Ｓが設けられている。そこで、間隙Ｓから入った水がソレノイド３８等の電装部品にかからないように、ボタン部２２には、間隙Ｓから蓋体６内に入る水を導く樋部２８が設けられており、この樋部２８を介して水を蓋体６の外へ排するようになっている。
【００２３】
より具体的に述べると、樋部２８は、周壁部２６に鍔状で連設されている。樋部２８のうち、ボタン部２２の後端から両側端に至る範囲には、凹溝３９が形成されており、間隙Ｓからの水が溢れることなくボタン部２２の後端側から前端側へ導かれるようになっている。樋部２８の開放端４０は、凹溝３９の開放端からなり、前後方向において周壁部２６の前端まで平滑部が延設されている。
【００２４】
ここで、樋部２８は、ボタン部２２の後端から前端に向かって前下がりの傾斜をもつように形成されている。これにより、樋部２８は、水をボタン部２２の後端側から開放端４０まで自然と導くようになっている。
【００２５】
なお、樋部２８の開放端４０は操作部材２１の前端側に設けられている。操作部材２１は前端側に傾くように上下動されるため、樋部２８に水が溜まっている状態で操作部材２１が押入されても、その水は凹溝３９からこぼれることなく開放端４０に導かれる。
【００２６】
開放端４０まで導かれた水は、そのままボタン部２２の前端縁より流れ落ち、フック孔１５から蓋体６の外部へ排される。このように、フック孔１５を利用して排水を行うと、蓋体６に水抜き孔を別途形成する必要がないので、従来の上蓋部材８を流用することができる。
【００２７】
なお、図７に示すように、この実施形態においては、操作部材２１には、その上昇時に操作部材２１と蓋体６との間隙Ｓを閉塞するパッキン４１を備えることもできる。パッキン４１は、操作部材２１の周壁部２６に圧入されたリング状のシール材である。パッキン４１には、操作部材２１の上下動を妨げないようにするため、柔軟性を有するものを用いるとよい。
【図面の簡単な説明】
【００２８】
【図１】実施形態に係る蓋付き容器の縦断側面図。
【図２】同上の全体斜視図。
【図３】同上の蓋体部分の分解斜視図。
【図４】同上の蓋体部分を下面側から示す分解斜視図。
【図５】同上の操作部材部分の拡大下面図。
【図６】図５の拡大縦断面図。
【図７】実施形態において操作部材にパッキンを備えた例を示す拡大縦断面図。
【符号の説明】
【００２９】
１  炊飯器本体
２  胴部
３  肩部
４  炊飯釜
５  操作パネル部
６  蓋体
７  ヒンジ
８  上蓋部材
９  下蓋部材
１０  放熱板セット
１１  蓋パッキン
１２  上端縁
１３  フック
１４  支軸
１５  フック孔
１６  フック部
１７  開口部
１８  受動部
１９  顎部
２０  トーションばね
２１  操作部材
２２  ボタン部
２３  ヒンジ部
２４  ばね部
２５  突起部
２６  周壁部
２７  押し面
２８  樋部
２９  軸部
３０  軸受け部
３１  支持座部
３２  座部
３３  係合孔
３４  脱落防止部
３５  突部
３６  対向突壁部
３７  トーションばね
３８  ソレノイド
３９  凹溝
４０  開放端
４１  パッキン
【図１】
2006020850.tif 000003
【図２】
2006020850.tif 000004
【図３】
2006020850.tif 000005
【図４】
2006020850.tif 000006
【図５】
2006020850.tif 000007
【図６】
2006020850.tif 000008
【図７】
2006020850.tif 000009